(57)【特許請求の範囲】
【請求項１】
固定部材と、
この固定部材に収納されると共に、収納静止位置から第一方向及びこれと反対の第二方向のいずれの方向へも引き出し自在な可動部材と、
前記第一方向から前記収納静止位置に戻される可動部材と当該収納静止位置の近傍において係合し、前記収納静止位置に向けて可動部材を付勢する一方、前記可動部材が収納静止位置を通過して第二方向へ移動する際には当該可動部材との係合状態を解除する第一引込み手段と、を備え、
前記第一引込み手段は、
前記固定部材に設けられると共に、前記収納静止位置に向けて付勢された保持ピンを有し、当該付勢力に抗して前記保持ピンを前記収納静止位置から離れた待機位置に係止するピン誘導部材と、
前記可動部材に設けられると共に、前記ピン誘導部材と重なるにつれて前記保持ピンをピン誘導部材の待機位置から離脱させ、離脱後の保持ピンに係合する一方、前記可動部材が収納静止位置を通過した際に前記保持ピンと分離するカム部材と、を備えたことを特徴とする双方向案内ユニット。
【請求項２】
前記第二方向から収納静止位置に戻される可動部材と当該収納静止位置の近傍において係合し、前記収納静止位置に向けて可動部材を付勢する一方、前記可動部材が収納静止位置を通過して第一方向へ移動する際には当該可動部材との係合状態を解除する第二引込み手段を備え、
前記第二引込み手段は、前記第一引込み手段と同じピン誘導部材及びカム部材を備えていることを特徴とする請求項１記載の双方向案内ユニット。
【請求項３】
前記カム部材は、前記保持ピンの先端を受け入れる案内溝を備え、
かかる案内溝は、前記可動部材の収納静止位置へ向けた移動に伴って前記待機位置に設定された保持ピンを受け入れる導入部と、受け入れた保持ピンを前記待機位置から離脱させる作用部と、この作用部を通過した保持ピンを係止するピン留置部とを備え、更に、
前記カム部材は、前記ピン留置部と連続すると共に前記可動部材が収納静止位置を通過する際に前記保持ピンをカム部材から離脱させるピン抜け溝を備えていることを特徴とする請求項１又は請求項２記載の双方向案内ユニット。
【請求項４】
前記収納静止位置の近傍における第一方向及び第二方向への可動部材の運動を減衰するロータリダンパが設けられていることを特徴とする請求項２又は３記載の双方向案内ユニット。
【発明の詳細な説明】
【技術分野】
【０００１】
本発明は、例えば家具やシステムキッチンにおける引き出し等の可動部材をキャビネット等の固定部材に対して支承する案内ユニットに係り、特に、前記可動部材を二方向から固定部材に対して収納可能とする双方向案内ユニットに関する。
【背景技術】
【０００２】
特開２００６−４３１８９には、引き出しをキャビネットの正面側からも背面側からも利用することが可能な双方向引き出し構造が開示されている。このような引き出し構造は室内に壁から離れて設けられたキャビネットに適用され、キャビネットの正面側、背面側の双方から同一の引き出しを利用可能とするものである。例えば、作業者がキャビネットの正面側又は背面側のいずれに位置していても、引き出し内の収納物を素早く取り出すことが可能である他、キャビネットを挟んで二人の作業者が同じ作業をする場合等に便利な構造となっている。
【０００３】
一方、特許第３９３３６８４号には、キャビネットに対する引き出しの進退を案内するスライドレールユニットが開示されている。このスライドレールユニットにおいては、キャビネットに対する引き出しの収納を補助し、且つ、キャビネットに対する引き出しの半開状態を解消するための付勢手段が設けられている。この付勢手段は、引き出しがキャビネットに対する収納位置の近傍まで押し込まれた際に当該引き出しと係合し、弾性部材の付勢力を用いて前記引き出しを収納静止位置まで積極的に引き込むように構成されている。また、前記弾性部材は引き出しを開いた際に伸展状態に設定され、引き出しをキャビネットに押し込む際に当該引き出しと係合して前記伸展状態が解消され、自らの弾性力によって引き出しを収納静止位置に引き込むようになっている。
【先行技術文献】
【特許文献】
【０００４】
【特許文献１】特開２００６−４３１８９
【特許文献２】特許第３９３３６８４号
【発明の開示】
【発明が解決しようとする課題】
【０００５】
しかし、特許第３９３３６８４号に開示されたスライドレールユニットは、例えば引き出しをキャビネットの正面側から引き出す場合のみを想定して構成されており、この文献における前記付勢手段を特開２００６−４３１８９に開示されるような双方向引き出し構造への適用は困難であった。すなわち、前記付勢手段は引き出しがキャビネット内の収納静止位置の近傍まで押し込まれた際に当該引き出しと係合し、伸展状態にあった弾性部材の弾性力を利用して引き出しを収納位置へ引き込むので、引き出しが収納静止位置に収納された状態では前記付勢手段が引き出しと係合した状態にあり、キャビネットの正面側から収納された引き出しを当該キャビネットの背面側から引き出すことが困難であつた。
【課題を解決するための手段】
【０００６】
本発明はこのような課題に鑑みなされたものであり、その目的とするところは、可動部材を固定部材に対して相反する二方向から引き出すことが可能であると共に、いずれの方向から移動部材を収納位置に戻した場合であっても、かかる引き出しを収納位置に確実に引き込むことが可能な双方向案内ユニットを提供することにある。
【０００７】
すなわち、本発明の双方向案内ユニットは、固定部材と、この固定部材に収納されると共に、収納静止位置から第一方向及びこれと反対の第二方向のいずれの方向へも引き出し自在な可動部材と、前記第一方向から前記収納静止位置に戻される可動部材と当該収納静止位置の近傍において係合し、前記収納静止位置に向けて可動部材を付勢する一方、前記可動部材が収納静止位置を通過して第二方向へ移動する際には当該可動部材との係合状態を解除する第一引込み手段と、を備えている。
【発明の効果】
【０００８】
このように構成された本発明の双方向案内ユニットでは、前記第一引込み部材が前記第一方向から収納静止位置に戻る可動部材と係合し、かかる可動部材を収納静止位置に向けて付勢する一方、前記可動部材か収納静止位置を通過して第二方向へ移動すると、前記第一引込み手段と可動部材との係合状態が解除される。このため、前記可動部材を第一方向から収納静止位置に設定した後、当該可動部材を直ちに第二方向へ向けて移動させることが可能となる。
【０００９】
また、前記第一引込み手段と同じ構成を前記第二方向に関しても設けることにより、収納静止位置に向けた移動部材の収納を第一方向及び第二方向の双方向から確実に行うことができ、しかも収納静止位置を超えて移動部材を反対側の第二方向又は第一方向へ移動させることも可能となる。
【図面の簡単な説明】
【００１０】
【図１】本発明の双方向案内ユニットの実施形態の一例を示す斜視図である。
【図２】図１に示す双方向案内ユニットの正面図である。
【図３】実施形態に係る双方向案内ユニットに使用したスライド部材を示す斜視図である。
【図４】図３に示したスライド部材の内部構造を示す分解斜視図である。
【図５】テーブルプレートをベースプレートからＡ方向へ引き出した状態を示す平面図である。
【図６】テーブルプレートをベースプレートからＡ方向へ引き出した状態を示す底面図である。
【図７】実施形態に係る双方向案内ユニットに使用した引き込み部材を示す斜視図である。
【図８】図７に示す引き込み部材を構成するカム部材を示す斜視図である。
【図９】テーブルプレートを収納静止位置に戻す際のカム部材と保持ピンとの位置関係を示す説明図である。
【図１０】テーブルプレートを収納静止位置から移動させる際のカム部材と保持ピンとの位置関係を示す説明図である。
【発明を実施するための形態】
【００１１】
以下、添付図面を用いて本発明の双方向案内ユニットを詳細に説明する。
【００１２】
図１及び図２は本発明を適用した双方向案内ユニットの実施形態の一例を示すものである。この双方向案内ユニット１は、固定部材としてのベースプレート２と、移動部材としてのテーブルプレート３と、前記ベースプレート２に対してテーブルプレート３を移動自在に支承する一対のスライド部材５とを備えている。各スライド部材５はベースプレート２の幅方向（図２の紙面左右方向）の端部とテーブルプレート３の幅方向の端部に挟まれるようにして固定されており、テーブルプレート３はベースプレート２との間に一定の隙間を保ってその上を自在に移動することが可能となっている。このような双方向案内ユニットは、例えば、前記ベースプレート２を家具本体に、前記テーブルプレート３を引き出しに固定して使用される。
【００１３】
図１は前記テーブルプレート３が収納静止位置に設定された状態、すなわちテーブルプレート３とベースプレート２とが完全に重なった状態を示しており、テーブルプレート３はこの状態から図１に示す矢線Ａ方向又はＢ方向のいずれにも引き出すことが可能となっている。従って、この双方向案内ユニット１を利用すれば、引き出しを家具本体の正面側及び背面側のいずれの方向にも引き出すことが可能となる。尚、前記Ａ方向及びＢ方向は本発明の第一方向及び第二方向とそれぞれ対応している。
【００１４】
また、前記ベースプレート２とテーブルプレート３との間には、前記テーブルプレート３を収納静止位置に設定する際に、かかるテーブルプレート３の収納を補助する引込み部材６が複数設けられている。これら引込み部材６は、Ａ方向へ引き出されたテーブルプレート３を収納静止位置に戻す際に機能する第一引込み部材６ａと、Ｂ方向へ引き出されたテーブルプレート３を収納静止位置に戻す際に機能する第二引込み部材６ｂとから構成されている。この実施形態では前記第一引込み部材６ａ、第二引込み部材６ｂはそれぞれ２個ずつが設けられている。これら引込み部材６の詳細については後述する。
【００１５】
図３は前記ベースプレート２に対してテーブルプレート３の移動を支えるスライド部材５を示す斜視図である。このスライド部材５は、前記ベースプレート２に固定されるアウタレール５０と、前記テーブルプレート３に固定されるインナレール５１と、これらアウタレール５０及びインナレール５１に対して多数のボールを介して組つけられた中間レール５２とから構成されている。前記アウタレール５０、インナレール５１及び中間レール５２は略同一の長さに形成されている。前記中間レール５２はアウタレール５０と完全に重なった位置が前記テーブルプレート３の収納静止位置に対応しており、その位置からアウタレール５０に対してＡ方向及びＢ方向のいずれの方向へも自由に移動できるように構成されている。また、インナレール５１は中間レール５２と完全に重なった位置が前記テーブルプレート３の収納静止位置に対応しており、その位置からアウタレール５０に対してＡ方向及びＢ方向のいずれの方向へも自由に移動できるように構成されている。
【００１６】
図４は前記中間レール５２から前記インナレール５１を取り外し、前記スライド部材５の内部構造を明確にした図である。前記アウタレール５０は鋼板をロールフォーミング加工により精密成形したものであり、取付け部５３の長手方向に沿って一対のボール転走部５４を曲げ起こすことによりチャネル状に形成されている。インナレール５１もアウタレール５０と同じ形状に形成されているが、これらアウタレール５０とインナレール５１はチャネル溝を互いに向き合わせた状態で配置されており、アウタレール５０とインナレール５１とが向かい合って形成された空間に前記中間レール５２が配置されている。
【００１７】
前記中間レール５２はアウタレールと同様に鋼板から成形された一対のレール体から構成され、これらレール体を背面合わせに溶接して形成されている。各レール体は取付け部５５の長手方向に沿って一対のボール転走部５６を曲げ起こすことによりチャネル状に形成されている。中間レール５２のボール転走部５６の外側面とインナレール５１のボール転走部５４の内側面との間には多数のボール５７が配列されており、これらボール５７がボール転走部５４，５６を転走することにより、インナレール５１が中間レール５２に対して自在に移動することが可能となっている。また、アウタレール５０と中間レール５２との間にも同様に多数のボールが配列されており、これらボールの転走によって、中間レール５２がアウタレール５０に対して自在に移動することが可能となっている。尚、互いに隣接するボール同士の接触を防止し、且つ、ボール５７を所定の間隔で一列に整列させるために、同一の転走部５４，５６を転走するボール５７は合成樹脂製のボールケージ５７ａに配列されている。
【００１８】
このように中間レール５２を介してアウタレール５０とインナレール５１を互いに移動自在に組み合わせているため、このスライド部材５ではインナレール５１をアウタレール５０に対して当該アウタレール５０と僅かに重なる程度にまで引き出すことが可能であり、このようなスライド部材５を使用したこの実施形態の双方向案内ユニット１では、テーブルプレート３をベースプレート２から大きく引き出すことが可能となっている。
【００１９】
テーブルプレート３をベースプレート２から引き出す際に、中間レール５２がアウタレール５０に対して移動することなくインナレール５１のみが移動するのを防止するため、前記スライド部材５にはアウタレール５０に対する中間レール５２の移動量と中間レール５２に対するインナレール５１の移動量を同期させる機構が設けられている。この機構はアウタレール５０及びインナレール５１対してその長手方向に沿って設けられたラックギヤ５８と、前記中間レール５２に対して回転自在に支承されると共に前記ラックギヤ５８と噛み合うピニオンギヤ５９とから構成されている。図４では、インナレール５１に取りつけられるラックギヤ５８及びこれに上から噛み合うピニオンギヤ５９が表されているが、アウタレール５０と中間レール５２との間にも同様なラックギヤとピニオンギヤが配置されている。ただし、アウタレール５０に固定されるラックギヤはその歯列を下側に向けて配置されており、ピニオンギヤは当該ラックギヤに対して下側から噛み合っている。また、インナレール５１側のピニオンギヤ５９とアウタレール５０側のピニオンギヤは回転軸を共通にしており、図示のピニオンギヤ５９が回転すると、中間レール５２の裏側、すなわちアウタレール５０に面して存在するピニオンギヤも同一方向へ回転するように構成されている。
【００２０】
このため、ベースプレート２に対してテーブルプレート３を移動させると、テーブルプレート３の移動距離の半分の距離だけインナレール５１が中間レール５２に対して、また、中間レール５２がアウタレール５０に対して移動し、常にインナレール５１と中間レール５２を連動させて移動させることが可能となっている。
【００２１】
尚、テーブルプレート３をベースプレート２に対してＡ方向及びＢ方向へ引き出すことが可能であれば、双方向案内ユニット１の用途等に応じ、前記スライド部材５としては公知の構成を任意に適用することが可能である。
【００２２】
この双方向案内ユニット１では、前記テーブルプレート３をベースプレート２に対して確実に収納し、且つ、その状態（図１に示される状態）を保持するため、前記ベースプレート２に対するテーブルプレート３の引き込みを補助する引込み部材６が設けられている。この引込み部材６はテーブルプレート３をベースプレート２上の収納静止位置に引き込む際に、かかる収納静止位置の僅かに手前側で作用し、弾性部材としての引っ張りばねの付勢力を用いてテーブルプレート３を収納静止位置に引き込むように構成されている。
【００２３】
図５及び図６は、前記テーブルプレート３を図１に示す収納静止位置からＡ方向へ引き出した状態を示す平面図及び底面図である。前記引込み部材６はピン誘導部材６０及びカム部材６１から構成されており、図５に示すようにベースプレート２の上面には前記ピン誘導部材６０が、図６に示すようにテーブルプレート３の底面に前記カム部材６１が固定されている。前記ピン誘導部材６０及びカム部材６１はベースプレート２とテーブルプレート３を重ねた状態において互いに向かい合うように４組配設されているが、両端に位置する２組のピン誘導部材６０及びカム部材６０はテーブルプレート３をＡ方向からベースプレート２上の収納静止位置に復帰させる第一引込み部材６ａのものであり、中央に位置する２組のピン誘導部材６０及びカム部材６１はテーブルプレート３をＢ方向からベースプレート２上の収納静止位置に復帰させる第二引込み部材６ｂのものである。
【００２４】
尚、この実施形態では前記ピン誘導部材６０をベースプレート２に固定し、前記カム部材６１をテーブルプレート３に固定したが、これとは逆に、前記カム部材６１をベースプレート２に固定し、前記ピン誘導部材６０をテーブルプレート３に固定しても差し支えない。
【００２５】
また、図６に示されるように、テーブルプレート３の中央には当該テーブルプレート３の移動方向に沿ってラックギヤ３０が設けられる一方、図５に示されるように、前記ベースプレート２の中央にはテーブルプレート３のラックギヤ３０と噛み合うピニオンギヤ２０が設けられている。このピニオンギヤ２０はベースプレート２の裏面側に配置されたロータリダンパと連結されている。従って、テーブルプレート３の急激な運動は前記ロータリダンパによって減衰され、かかるテーブルプレート３の移動範囲のうち、ラックギヤ３０とピニオンギヤ２０が噛み合っている領域では当該テーブルプレート３がゆっくりと移動するようになっている。
【００２６】
図７に示すように、前記ベースプレート２に固定されたピン誘導部材６０、及びテーブルプレート３に固定されたカム部材６１は、互いに向かい合った状態で使用される。テーブルプレート３がベースプレート２から引き出された状態では、ピン誘導部材６０とカム部材６１は重なることなく離間しているが、テーブルプレート３が収納静止位置に接近すると、カム部材６１が図中に示す矢線Ｃ方向からピン誘導部材６０に重なっていくようになっている。そして、カム部材６１とピン誘導部材６０が一定距離だけ重なると、カム部材３３がピン誘導部材６０から突出した保持ピン６２と係合し、ピン誘導部材に内蔵された弾性部材の引っ張り力（付勢力）が保持ピン６２を介してカム部材６１に伝達され、かかるカム部材６１が固定されたテーブルプレート３を前記付勢力によってベースプレート２の収納静止位置に対して引き込むことができるようになっている。
【００２７】
前記ピン誘導部材６０は前記カム部材６１と係合する保持ピン６２を有すると共に、かかる保持ピン６２は矩形状に形成されたケース６３に保持されている。前記ケース６３の内部は保持ピン６２の移動空間となっている。また、前記ケース６３の正面プレート６４には前記保持ピン６２の移動を規制する誘導溝６５が形成されており、保持ピン６２はその先端が誘導溝６５に挿入され、カム部材６１に向けて突き出している。
【００２８】
前記保持ピン６２には弾性部材としての引っ張りばね６６の一端が固定されており、この引っ張りばね６６の他端は前記ピン誘導部材６０のケース６３内に設けられたスタッド６７に固定されている。このスタッド６７は前記誘導溝６５よりも前記テーブルプレートの引き込み方向の奥側に位置している。保持ピン６２が誘導溝６５のどの位置に設定されていても、前記引っ張りばね６６は伸張された状態にあり、保持ピン６２には引っ張りばね６６の付勢力がテーブルプレート３の引き込み方向に向けて常に作用するように構成されている。
【００２９】
一方、前記誘導溝６５は、引っ張りばね６６の付勢力に抗して保持ピン６２を係止するための係止凹部６８と、この係止凹部６８から連続すると共に前記テーブルプレート３の移動方向に沿って形成された引っ張りガイド部６９とを有している。前記係止凹部６８はテーブルプレート３をベースプレート２から引き出した際に前記保持ピン６２が設定される待機位置であり、保持ピン６２が係止凹部６８に設定されているときに、前記引っ張りばね６６は最も伸張した状態にある。従って、前記カム部材６１の働きによって保持ピン６２が待機位置である係止凹部６８から抜け出すと、かかる保持ピン６２は引っ張りばね６６の付勢力によって前記引っ張りガイド部６９を一気に移動して、かかる引っ張りガイド部６９の終端にまで移動することになる。
【００３０】
また、前記スタッド６７に近接した引っ張りガイド部６９の端部には、前記カム部材６１の移動に関係なく待機位置（係止凹部６８）から離脱してしまった保持ピン６２を該待機位置に再設定する際に利用する退避凹部７０が形成されている。この退避凹部７０は引っ張りガイド部６９と斜めに交わるようにして形成されている。
【００３１】
次に、テーブルプレート３側に設けられた前記カム部材６１について説明する。このカム部材６１は合成樹脂製の板材に案内溝７１を切り欠いて形成されている。図８は前記カム部材６１に形成された案内溝７１の形状を示す斜視図である。前記案内溝７１はベースプレート２に対するテーブルプレート３の移動に応じて前記保持ピン６２の設定位置を変更する所謂カム溝として構成されており、前記ピン誘導部材６０から突き出した保持ピン６２の先端が前記カム部材６１の案内溝７１に挿入されるようになっている。この案内溝７１は、待機位置に設定された保持ピン６２の先端を受け入れる導入部７２と、受け入れた保持ピン６２を前記待機位置から離脱させる作用部７３と、この作用部７３を通過した保持ピン６２を係止しておくピン留置部７４とを備えている。このピン留置部７４はピン誘導部材６０の引っ張りガイド部６９と対向しており、保持ピン６２はピン留置部７４に係止された状態で前記引っ張りガイド部６９を移動することが可能となっている。
【００３２】
また、このカム部材６１には、前記ピン留置部７４に係止された保持ピン６２を案内溝７１から離脱させるためのピン抜け溝７５が設けられている。このピン抜け溝７５は前記導入部７２と反対側においてカム部材６１の側面に開放されると共に前記ピン留置部７４と連続して形成されており、前記引込み部材６の機能によってベースプレート２上の収納静止位置に間で引き込まれたテーブルプレート３が当該収納静止位置を超えて移動した場合に、前記保持ピン６２をカム部材６１の案内溝７１から離脱させ、保持ピン６２とカム部材６１との係合状態を解除するようになっている。
【００３３】
図９は、前記引込み部材６の作用をベースプレート２に対するテーブルプレート３の移動位置の変化に応じて説明したものであり、前記カム部材６１と保持ピン６２の位置関係を示している。分図ａはテーブルプレート３をベースプレート２から図６に示す矢線Ａ方向へ引き出した状態を示している。この図９で示されているカム部材６１は矢線Ａ方向へ引き出されたテーブルプレート３を収納静止位置に引き戻す際に機能する第一引込み部材６ａのカム部材である。分図ａに示されるように、テーブルプレート３をベースプレート２から引き出した状態では、前記カム部材６１は図６に示すようにベースプレート２に固定されたピン誘導部材６０と重なっておらず、このときの保持ピン６２の設定位置はピン誘導部材６０の誘導溝６５における係止凹部６８である。この状態では引っ張りばね６６が伸展した状態にある。
【００３４】
次に、ベースプレート２から引き出されていたテーブルプレート３を収納静止位置に押し戻していくと、カム部材６１が前記Ａ方向とは逆方向の矢線Ｂ方向へ移動することになり、かかるカム部材６１とピン誘導部材６０が徐々に重なっていくことになる。これにより、分図ｂに示すようにピン誘導部材６０から突出した保持ピン６２の先端はカム部材６１の案内溝７１に進入することになる。導入部７２から案内溝７１内に進入した保持ピン６２は、カム部材６１がＣ方向へ進行するにつれて作用部７３と接触し、カム部材６１の移動方向と直交する方向へ押圧される。そして、最終的には分図ｃに示すようにピン留置部７４に設定される。
【００３５】
このようにして保持ピン６２がカム部材６１の作用部７３との接触によってピン留置部７４に設定されると、前記ピン誘導部材６０では保持ピン６２が係止凹部６８から引っ張りガイド部６９に設定されることになり、引っ張りばね６６の付勢力が一気に解放されて、保持ピン６２は引っ張りガイド部６９に沿って移動することになる。このとき、前記保持ピン６２はカム部材６１のピン留置部７４に設定されており、前記引っ張りばね６６の付勢方向に関して保持ピン６２とカム部材６１が係合することから、カム部材６１及びこれが固定されたテーブルプレート３には前記引っ張りばね６６の付勢力が作用し、テーブルプレート３がベースプレート２上の収納静止位置へ引き戻されることになる。分図ｄはテーブルプレートが収納静止位置に設定された場合のカム部材と保持ピンとの位置関係を示している。
【００３６】
尚、収納静止位置に設定されたテーブルプレート３を再び矢線Ａ方向へ引き出すと、保持ピン６２は引っ張りばね６６の付勢力に逆らいながら分図ｄ〜ａへと逆に移動し、ピン誘導部材６０の係止凹溝６８に再設定される。これにより、テーブルプレート３を収納静止位置から矢線Ａ方向へ繰り返し引き出しても、テーブルプレート３を収納静止位置へ戻す際には常に引っ張りばね６６の付勢力を利用することが可能となっている。
【００３７】
このようなピン誘導部材６０及びカム部材６１から構成される引込み部材６は、テーブルプレート３の矢線Ａ方向への移動に対応した第一引込み部材６ａの他、図５及び図６に示すように、テーブルプレート３の矢線Ｂ方向への移動に対応した第二引込み部材６ｂも配置されている。従って、矢線Ｂ方向へ引き出されていたテーブルプレート３を矢線Ａ方向へ移動させて収納静止位置に戻す場合は、第二引込み部材６ｂを構成するピン誘導部材６０及びカム部材６１が図９に示す例と同様に機能し、テーブルプレート３を収納静止位置へ引き戻すことになる。
【００３８】
一方、この双方向案内ユニットでは、ベースプレート２から図５の矢線Ａ方向へ引き出されていたテーブルプレート３を前述の如く収納静止位置に引き戻した後に、そのままテーブルプレート３を図５の矢線Ｂ方向へ引き出すことも可能となっている。この場合、矢線Ａ方向へ移動していたテーブルプレート３を収納静止位置に引き戻す際に作用していた保持ピン６２は、図９の分図ｄに示すように、テーブルプレート３及びカム部材６１の前記Ｂ方向への移動に伴い、ピン抜け溝７５を通過してカム部材６１から抜け出すようになっている。すなわち、テーブルプレート３が収納静止位置を通過すると、前記保持ピン６２とカム部材６１の係合状態が解除されるようになっている。
【００３９】
図１０は、収納静止位置Ｓに設定されているテーブルプレート３をＢ方向へ引き出す場合のカム部材６１と保持ピン６２との位置関係を示すものである。分図ａに示すように、テーブルプレートが収納静止位置Ｓに設定されている状態において、第一引込み部材６ａではピン誘導部材６０の保持ピン６２がカム部材６１のピン留置部７４に設定されており、また、第二引込み部材６ｂでもピン誘導部材６０の保持ピン６２がカム部材６１のピン留置部７４に設定されている。従って、テーブルプレート３に対しては、引込み部材６ａに組み込まれた引っ張りばね６６の付勢力がＢ方向へ作用する一方、引込み部材６ｂに組み込まれた引っ張りばね６６の付勢力がＡ方向へ作用するので、テーブルプレート３はある程度の保持力を伴って収納静止位置Ｓに設定されることになる。
【００４０】
この状態からテーブルプレート３をＢ方向へ移動させると、分図ｂに示すように、第一引込み部材６ａでは保持ピン６２がピン抜け溝７５を通過してカム部材６１の案内溝７１から抜け出し、カム部材６１と保持ピン６２の係合状態が解除され、テーブルプレート３のＢ方向への移動が可能となる。このとき、第二引込み部材６ｂでは、保持ピン６２がカム部材６１と係合した状態でＢ方向へ移動し、ピン誘導部材６０では引っ張りばね６６が伸展状態となる。
【００４１】
また、Ｂ方向へ引き出されたテーブルプレート３が再び収納静止位置Ｓに引き戻されると、第一引込み部材６ａの保持ピン６２はピン抜け溝７５を通してカム部材６１の案内溝７１内に導入され、再びピン留置部７４においてカム部材６１と係合する。これにより、カム部材６１と保持ピン６２の位置関係は分図ａの状態に復帰する。
【００４２】
以上説明してきたように、この実施形態に係る双方向案内ユニット１では、テーブルプレート３を収納静止位置に対して相反するＡ方向及びＢ方向のいずれにも自在に移動させることが可能である。また、テーブルプレート３を収納静止位置へ格納する際には、Ａ方向及びＢ方向のいずれの方向から格納した場合であっても、テーブルプレート３に対して引込み部材６を係合させ、付勢力を伴って当該テーブルプレート３を確実に収納静止位置に設定することが可能である。
【００４３】
そして、テーブルプレート３を収納静止位置からＡ方向へ移動させる場合には、第二引込み部材６ｂとテーブルプレート３との係合状態が解除され、テーブルプレート３のＡ方向への移動が可能となる一方、テーブルプレート３を収納静止位置からＢ方向へ移動させる場合には、第一引込み部材６ａとテーブルプレート３との係合状態が解除され、テーブルプレート３のＢ方向への移動が可能となる。
【００４４】
従って、このような双方向案内ユニットによれば、家具を壁際から離して設置した際に、引き出しを当該家具の正面側及び背面側の双方から利用することが可能となり、しかも、かかる引き出しの閉塞動作を付勢力の補助を伴って確実に行うことができる。
【００４５】
尚、前述した実施形態ではテーブルプレートをベースプレートに対して一対のスライド部材で支え、ベースプレートとテーブルプレートの間に第一引込み部材及び第二引込み部材を配置したが、これら引込み部材の配置場所はこの例に限定されるものではない。例えば、スライド部材のアウタレールとこれに対向するインナレールに対して前記ピン誘導部材及びカム部材を直接的に固定し、あるいは何らかの取付けプレートを介してアウタレールとこれに対向するインナレールに対して前記ピン誘導部材及びカム部材を間接的に固定し、スライド部材そのものが本発明の双方向案内ユニットを構成するようにしても差し支えない。
【符号の説明】
【００４６】
１…双方向案内ユニット、２…ベースプレート、３…テーブルプレート、６ａ…第一引込み部材、６ｂ…第二引込み部材
【図１】
0005518422.tif 000002
【図２】
0005518422.tif 000003
【図３】
0005518422.tif 000004
【図４】
0005518422.tif 000005
【図５】
0005518422.tif 000006
【図６】
0005518422.tif 000007
【図７】
0005518422.tif 000008
【図８】
0005518422.tif 000009
【図９】
0005518422.tif 000010
【図１０】
0005518422.tif 000011